(57)【要約】【課題】記録媒体がライトワンス型の記録媒体であったとしても、正確な動画記録可能時間を把握できるようにすることを目的とする。【解決手段】装着部に装着され、ＦＡＴファイルシステムによってファイル管理される記録媒体のＦＡＴの少なくとも一部を記憶部に読み出す読出手段と、前記装着部に装着された記録媒体がライトワンス型であるか否かを判定する記録媒体判定手段と、前記記録媒体判定手段によってライトワンス型であると判定された場合、前記読出手段によって前記記憶部に読み出されたＦＡＴの空きクラスタ数に基づいて動画記録可能時間を算出する動画記録可能時間算出手段と、前記動画記録可能時間算出手段によって算出された動画記録可能時間を表示部に表示する動画記録可能時間表示手段と、を備える。【選択図】図３
2012146381.tif 000002
【特許請求の範囲】
【請求項１】
装着部に装着され、ＦＡＴファイルシステムによってファイル管理される記録媒体のＦＡＴの少なくとも一部を記憶部に読み出す読出手段と、
前記装着部に装着された記録媒体がライトワンス型であるか否かを判定する記録媒体判定手段と、
前記記録媒体判定手段によってライトワンス型であると判定された場合、前記読出手段によって前記記憶部に読み出されたＦＡＴの空きクラスタ数に基づいて動画記録可能時間を算出する動画記録可能時間算出手段と、
前記動画記録可能時間算出手段によって算出された動画記録可能時間を表示部に表示する動画記録可能時間表示手段と、を備えることを特徴とする動画記録装置。
【請求項２】
前記装着部に装着された記録媒体に動画データを記録する動画記録手段と、
前記動画記録手段によって記録されている記録媒体に基づいて、前記記憶部に読み出されたＦＡＴを更新する更新手段と、
前記動画データの記録が終了したときに、前記更新手段によって更新されたＦＡＴを前記記録媒体に書き込む書込手段と、を更に備えることを特徴とする請求項１に記載の動画記録装置。
【請求項３】
前記更新手段によって更新されたＦＡＴに空きクラスタがあるか否かを判定するクラスタ判定手段を更に備え、
前記クラスタ判定手段によって空きクラスタがないと判定された場合、前記動画記録手段は、前記動画データの記録を終了することを特徴とする請求項２に記載の動画記録装置。
【請求項４】
前記装着部に装着された記録媒体の空き容量に基づいて動画記録可能時間を算出する媒体記録可能時間算出手段と、
前記媒体記録可能時間算出手段によって算出された動画記録可能時間を前記表示部に表示する媒体記録可能時間表示手段と、を更に備えることを特徴とする請求項１乃至３の何れか１項に記載の動画記録装置。
【請求項５】
前記動画記録可能時間算出手段によって算出された動画記録可能時間と、前記媒体記録可能時間算出手段によって算出された動画記録可能時間とが一致するか否かを判定する時間判定手段を更に備え、
前記時間判定手段によって動画記録可能時間が一致しないと判定された場合、前記動画記録可能時間表示手段および前記媒体記録可能時間表示手段は、それぞれ動画記録可能時間を前記表示部に表示することを特徴とする請求項４に記載の動画記録装置。
【請求項６】
前記媒体記録可能時間表示手段は、動画記録可能時間を前記動画記録可能時間表示手段によって表示される動画記録可能時間とは異なる態様で表示することを特徴とする請求項５に記載の動画記録装置。
【請求項７】
前記動画記録手段によって動画データが記録されている場合に、使用者の操作に応じて静止画を撮影する動画中静止画撮影手段を更に備え、
前記記録媒体判定手段によってライトワンス型であると判定された場合、前記動画中静止画撮影手段は、使用者の操作があっても、静止画の撮影を無効にすることを特徴とする請求項２乃至６の何れか１項に記載の動画記録装置。
【請求項８】
装着部に装着され、ＦＡＴファイルシステムによってファイル管理される記録媒体のＦＡＴの少なくとも一部を記憶部に読み出す読出ステップと、
前記装着部に装着された記録媒体がライトワンス型であるか否かを判定する記録媒体判定ステップと、
前記記録媒体判定ステップによってライトワンス型であると判定された場合、前記読出ステップによって前記記憶部に読み出されたＦＡＴの空きクラスタ数に基づいて動画記録可能時間を算出する動画記録可能時間算出ステップと、
前記動画記録可能時間算出ステップによって算出された動画記録可能時間を表示部に表示する動画記録可能時間表示ステップと、を有することを特徴とする動画記録方法。
【請求項９】
装着部に装着され、ＦＡＴファイルシステムによってファイル管理される記録媒体のＦＡＴの少なくとも一部を記憶部に読み出す読出ステップと、
前記装着部に装着された記録媒体がライトワンス型であるか否かを判定する記録媒体判定ステップと、
前記記録媒体判定ステップによってライトワンス型であると判定された場合、前記読出ステップによって前記記憶部に読み出されたＦＡＴの空きクラスタ数に基づいて動画記録可能時間を算出する動画記録可能時間算出ステップと、
前記動画記録可能時間算出ステップによって算出された動画記録可能時間を表示部に表示する動画記録可能時間表示ステップと、をコンピュータに実行させるためのプログラム。
【発明の詳細な説明】
【技術分野】
【０００１】
本発明は、動画記録装置、動画記録方法およびプログラムに関するものである。特に、ＦＡＴファイルシステムによってファイル管理されているライトワンス型の記録媒体に動画データを記録する場合に用いられて好適である。
【背景技術】
【０００２】
従来からデジタルカメラ等の小型電子機器のファイル管理には、ＦＡＴファイルシステムが適用されている。ＦＡＴファイルシステムにおける先頭領域には、マスタブートレコーダ、ブートセクタ、ＦＡＴ、ルートディレクトリエントリなどのデータ管理情報からなる管理領域が設定されている。管理領域の後には、データ領域が設定されている。
管理領域には、データ領域のサイズや記憶装置上の論理的な記録の最小単位を示すクラスタサイズ等のＦＡＴファイルシステムに関する基本的な情報が書き込まれている。また、データ領域には、データが保存される。
【０００３】
ＦＡＴファイルシステムが適用されている記録媒体（以下、メディアともいう）には、通常の書き換え可能なメディアと１度しか書き込みができないライトワンス型のメディアがある。通常、ＦＡＴファイルシステムが適用されているメディアに動画データを記録する場合、一度メディアへ書き込んだＦＡＴを修正し、追記しながら記録している。しかしながら、ライトワンス型のメディアへ動画データを記録する場合、書き換えが不可能なため、従来の方法では動画データの記録を行うことができない。
【０００４】
特許文献１に開示された記録制限装置では、ライトワンス型のメディアへ動画データを記録する場合、複数回に分けてファイルを作成することにより、動画データを記録することを可能にしている。具体的には、書き込み単位数の３クラスタに１を加算した４クラスタ分のクラスタ４〜７を確保し、確保したクラスタ４〜６に読み出した３クラスタ分の動画データを順次割り当てる。最後尾のクラスタには、何も記録せず、まだ動画データがある場合は１回目と同様な処理を繰り返し記録を続けていく。
【先行技術文献】
【特許文献】
【０００５】
【特許文献１】特開２０１０−０２０５７６号公報
【特許文献２】特開２００４−２２８８２６号公報
【発明の概要】
【発明が解決しようとする課題】
【０００６】
ところで、動画データをメディアに記録する場合、使用者は動画データを記録できる動画記録可能時間を知りたい場合がある。しかしながら、特許文献１の記録制限装置では、動画記録可能時間を算出する構成を備えておらず、使用者が動画記録可能時間を知ることができない。また、特許文献１の記録制限装置では、確保したＦＡＴを記録しメディアに書き込む処理を数回に渡って繰り返しているために、動画データを記録する処理の高速化を図ることが困難である。そのため、特許文献１の記録制限装置に動画記録可能時間を算出する処理を加えてしまうと、更に処理の負担が増えてしまうという問題がある。
【０００７】
また、特許文献２の動画記録時間算出装置では、メディアの残容量を表示するのみであり、ライトワンス型のメディアを装着した場合の動画記録可能時間の算出が考慮されていない。すなわち、ライトワンス型のメディアに動画データを記録しようとすると、メモリ上に読み出したＦＡＴに基づいて算出される動画記録可能時間が、メディアの空き容量に基づいて算出される動画記録可能時間よりも短くなってしまう場合がある。特許文献２の動画記録時間算出装置では、ライトワンス型のメディアに動画データを記録する場合、使用者は動画記録可能時間が短くなることを知ることができないという問題がある。
【０００８】
本発明は、上述したような問題点に鑑みてなされたものであり、記録媒体がライトワンス型の記録媒体であったとしても、正確な動画記録可能時間を把握できるようにすることを目的とする。
【課題を解決するための手段】
【０００９】
本発明は、装着部に装着され、ＦＡＴファイルシステムによってファイル管理される記録媒体のＦＡＴの少なくとも一部を記憶部に読み出す読出手段と、前記装着部に装着された記録媒体がライトワンス型であるか否かを判定する記録媒体判定手段と、前記記録媒体判定手段によってライトワンス型であると判定された場合、前記読出手段によって前記記憶部に読み出されたＦＡＴの空きクラスタ数に基づいて動画記録可能時間を算出する動画記録可能時間算出手段と、前記動画記録可能時間算出手段によって算出された動画記録可能時間を表示部に表示する動画記録可能時間表示手段と、を備えることを特徴とする。
【発明の効果】
【００１０】
本発明によれば、記録媒体がライトワンス型の記録媒体であったとしても、正確な動画記録可能時間を把握することができる。
【図面の簡単な説明】
【００１１】
【図１】デジタルカメラの構成を示す図である。
【図２】ＦＡＴファイルシステムの概要を示す図である。
【図３】デジタルカメラの起動時処理を示すフローチャートである。
【図４】ライトワンス型の記録媒体への動画記録処理を示すフローチャートである。
【図５】通常の記録媒体への動画記録処理を示すフローチャートである。
【図６】ライトワンス型の記録媒体への動画記録時間算出処理を示すフローチャートである。
【図７】画像表示部に表示される画面表示例を示す図である。
【図８】メモリ上に読み出されたＦＡＴの一例を示す図である。
【発明を実施するための形態】
【００１２】
以下、図面を参照して本発明の好適な実施形態を説明する。本実施形態では、動画記録装置としてのデジタルカメラを例にして説明する。
図１は、デジタルカメラ（以下、カメラという）１００の構成を示す図である。
図１において、１０は撮影レンズである。１２は絞り機能を備えるシャッターである。１４は光学像を電気信号に変換する撮像素子である。１６は撮像素子１４のアナログ信号出力をディジタル信号に変換するＡ／Ｄ変換器である。
【００１３】
１８は撮像素子１４、Ａ／Ｄ変換器１６、Ｄ／Ａ変換器２６にクロック信号や制御信号を供給するタイミング発生部である。タイミング発生部１８は、メモリ制御部２２およびシステム制御部５０によって制御される。
２０は画像処理部である。画像処理部２０は、Ａ／Ｄ変換器１６からのデータ或いはメモリ制御部２２からのデータに対して所定の画素補間処理や色変換処理を行う。また、画像処理部２０は、撮像した画像データを用いて所定の演算処理を行う。システム制御部５０は、画像処理部２０による演算結果に基づいて露光制御部４０、測距制御部４２を制御し、ＴＴＬ（スルー・ザ・レンズ）方式のＡＦ（オートフォーカス）処理、ＡＥ（自動露出）処理、ＥＦ（フラッシュプリ発光）処理を行う。また、画像処理部２０は、撮像した画像データを用いて所定の演算処理を行い、得られた演算結果に基づいてＴＴＬ方式のＡＷＢ（オートホワイトバランス）処理も行っている。
【００１４】
２２はメモリ制御部である。メモリ制御部２２は、Ａ／Ｄ変換器１６、タイミング発生部１８、画像処理部２０、画像表示メモリ２４、Ｄ／Ａ変換器２６、メモリ３０、圧縮・伸長部３２を制御する。Ａ／Ｄ変換器１６から出力される画像データは、画像処理部２０およびメモリ制御部２２の双方を介して、またはメモリ制御部２２のみを介して、画像表示メモリ２４或いはメモリ３０に書き込まれる。
【００１５】
２４は画像表示メモリである。２６はＤ／Ａ変換器である。２８はＴＦＴ＿ＬＣＤ等からなる画像表示部である。画像表示部２８は、画像表示メモリ２４に書き込まれた表示用の画像データをＤ／Ａ変換器２６を介して表示する。画像表示部２８を用いて撮像した画像データを逐次表示すれば、電子ファインダ機能を実現することが可能である。また、画像表示部２８は、システム制御部５０の指示により任意に表示をＯＮ／ＯＦＦすることが可能である。画像表示部２８の表示をＯＦＦにした場合、カメラ１００の電力消費を大幅に低減することができる。
【００１６】
３０は撮影した静止画像や動画像を格納する記憶部としてのメモリである。メモリ３０は、例えばＲＡＭが用いられ、所定枚数の静止画像や所定時間の動画像を格納するのに十分な記憶量を備えている。したがって、メモリ３０には、複数枚の静止画像を連続して撮影する連射撮影やパノラマ撮影の場合にも、高速かつ大量の画像データの書き込みが可能である。また、メモリ３０は、システム制御部５０の作業領域としても使用することが可能である。
【００１７】
３２は適応離散コサイン変換（ＡＤＣＴ）等により画像データを圧縮伸長する圧縮・伸長部である。圧縮・伸長部３２は、メモリ３０に格納された画像を読み込んで圧縮処理或いは伸長処理を行い、処理を終えたデータをメモリ３０に書き込む。
４０は絞り機能を備えるシャッター１２を制御する露光制御部である。露光制御部４０は、フラッシュ４８と連携することによりフラッシュ調光機能も有している。
【００１８】
４２は撮影レンズ１０のフォーカシングを制御する測距制御部である。４４は撮影レンズ１０のズーミングを制御するズーム制御部である。４６はバリアである保護部１０２の動作を制御するバリア制御部である。
４８はフラッシュである。フラッシュ４８は、ＡＦ補助光の投光機能、フラッシュ調光機能も有する。
【００１９】
露光制御部４０、測距制御部４２は、ＴＴＬ方式を用いて制御されており、撮像した画像データを画像処理部２０によって演算した演算結果に基づき、システム制御部５０が露光制御部４０、測距制御部４２に対して制御を行う。
５０は、カメラ１００全体を制御するシステム制御部である。５２はシステム制御部５０の動作用の定数、変数、プログラム等を記憶するメモリである。
【００２０】
５４は表示部である。表示部５４は、システム制御部５０がプログラムを実行することで、文字、画像、音声等を用いて動作状態やメッセージ等を表示する液晶表示装置、スピーカー等である。表示部５４は、カメラ１００の操作部近辺の視認し易い位置に単数或いは複数個所設置される。表示部５４には、例えばＬＣＤやＬＥＤ、発音素子等の組み合わせによって構成することができる。また、表示部５４の一部の機能は、光学ファインダ１０４内に設置されている。表示部５４に表示される情報のうち、ＬＣＤ等に表示される情報としては、例えば、シングルショット／連写撮像表示、セルフタイマ表示、圧縮率表示、記録画素数表示、記録枚数表示、残撮像可能枚数表示、シャッタスピード表示等がある。この他にも、絞り値表示、露出補正表示、フラッシュ表示、赤目緩和表示、マクロ撮像表示、ブザー設定表示、時計用電池残量表示、電池残量表示、エラー表示、複数桁の数字による情報表示等がある。更には、記録媒体１２０の着脱状態表示、通信Ｉ／Ｆ動作表示、日付・時刻表示等がある。また、表示部５４に表示される情報のうち、光学ファインダ１０４内に表示される情報としては、例えば、合焦表示、手振れ警告表示、フラッシュ充電表示、シャッタスピード表示、絞り値表示、露出補正表示等がある。
【００２１】
５６は電気的に消去・記録可能な不揮発性メモリである。不揮発性メモリ５６には、例えばＥＥＰＲＯＭ等が用いられる。
６０、６２、６４、６６、６８および７０は、システム制御部５０の各種の動作指示を入力するための操作部である。６０、６２、６４、６６、６８および７０は、スイッチやダイアル、タッチパネル、視線検知によるポインティング、音声認識装置等の単数或いは複数の組み合わせで構成される。
【００２２】
ここで、操作部を具体的に説明する。６０はモードダイアルスイッチである。モードダイアルスイッチ６０は、電源オフ、自動撮影モード、撮影モード、動画撮影モード、パノラマ撮影モード、再生モード、マルチ画面再生・消去モード等の各機能モードを切り替え設定することができる。
６２はシャッタースイッチＳＷ１である。シャッタースイッチ（ＳＷ１）６２は、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
６４はシャッタースイッチＳＷ２である。シャッタースイッチ（ＳＷ２）６４は、不図示のシャッターボタンの操作完了でＯＮとなり、一連の撮像処理が実行される。この一連の撮像処理では、撮像素子１４からの画像信号の読み出し、Ａ／Ｄ変換器１６でのＡ／Ｄ変換処理、画像処理部２０での画像処理、メモリ３０への書き込み処理等が行われる。また、メモリ３０から画像データを読み出して圧縮・伸長部３２で圧縮し、その圧縮された画像データを記録媒体１２０に書込む処理を含む一連の処理（撮像処理）の開始をシステム制御部５０に指示する。
【００２３】
６６は画像表示スイッチである。画像表示スイッチ６６は、画像表示部２８のＯＮ／ＯＦＦを設定することができる。この機能により、光学ファインダ１０４を用いて撮影を行う際に、画像表示部２８への電流供給を遮断することができ、省電力を図ることが可能となる。
６８はクイックレビューＯＮ／ＯＦＦスイッチである。クイックレビューＯＮ／ＯＦＦスイッチ６８により、撮影直後に撮影した画像データを自動再生するクイックレビュー機能を設定する。本実施形態では、クイックレビューＯＮ／ＯＦＦスイッチ６８は、画像表示部２８をＯＦＦとした場合におけるクイックレビュー機能の設定をする機能を備えるものとする。
【００２４】
７０は各種ボタンやタッチパネル等からなる操作部である。操作部７０は、メニューボタン、セットボタン、マクロボタン、マルチ画面再生改ページボタン、フラッシュ設定ボタン、単写／連写／セルフタイマ切り替えボタン、メニュー移動＋（プラス）ボタン、メニュー移動−（マイナス）ボタンがある。また、その他に、再生画像移動＋（プラス）ボタン、再生画像−（マイナス）ボタン、撮影画質選択ボタン、露出補正ボタン、日付／時間設定ボタン等がある。
【００２５】
８０は電源制御部である。電源制御部８０は、電池検出回路、ＤＣ−ＤＣコンバータ、通電するブロックを切り替えるスイッチ回路等により構成されている。電源制御部８０は、電池の装着の有無、電池の種類、電池残量の検出を行い、検出結果およびシステム制御部５０の指示に基づいてＤＣ−ＤＣコンバータを制御し、必要な電圧を必要な期間、記録媒体１２０を含む各部へ供給する。
８２、８４はコネクタである。８６はアルカリ電池やリチウム電池等の一次電池やＮｉＣｄ電池やＮｉＭＨ電池、Ｌｉ電池等の二次電池、ＡＣアダプター等からなる電源部である。
【００２６】
９０は記録媒体１２０とデータの送受信を行うカードコントローラである。９１は記録媒体１２０とのインタフェースである。９２は記録媒体１２０と接続を行うコネクタである。９８はコネクタ９２に記録媒体１２０が装着スロット１２２に装着されているか否かを検知する記録媒体着脱検知部である。
【００２７】
なお、本実施形態では、記録媒体１２０を取り付けるインタフェースおよびコネクタを１系統有するものとして説明しているが、これらは２系統以上でもよい。複数系統のインタフェースおよびコネクタを備える場合は、それらは互いに異なる仕様を有していてもよい。インタフェース９１およびコネクタ９２として例えば、ＰＣＭＣＩＡカードやＣＦ（コンパクトフラッシュ（登録商標））カード等の規格に準拠したものを採用することができる。この場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することができる。そして他のコンピュータやプリンタ等の周辺機器との間で画像データや画像データに付属した管理情報を相互に転送することができる。
【００２８】
１０２は、カメラ１００の撮影レンズ１０を含む撮像部を覆うことにより、撮像部の汚れや破損を防止する保護部としてのバリアである。
１０４は、光学ファインダである。画像表示部２８による電子ファインダ機能を使用することなしに撮影を行うことを可能にする。光学ファインダ１０４内には、表示部５４の一部を構成する表示素子、例えば、合焦表示、手振れ警告表示、フラッシュ充電表示、シャッタスピード表示、絞り値表示、露出補正表示を行うための表示素子が配置される。
１２０は、メモリカード等のメディアとしての記録媒体である。記録媒体１２０は、装着部としての装着スロット１２２に装着される。
【００２９】
さて、上述したように構成されるカメラ１００は、装着スロット１２２に装着した記録媒体１２０に記録できる動画データの動画記録可能時間を算出して、画像表示部２８に表示する。また、カメラ１００は、使用者の指示に応じて動画データを記録し、継続して動画記録可能時間を算出して画像表示部２８に表示する。以下に、本実施形態の各処理をフローチャートを参照して説明する。フローチャートの各処理は、システム制御部５０が、不揮発性メモリ５６に記憶されているプログラムを実行し、画像表示部２８および記録媒体着脱検知部９８などを制御することにより実現される。
【００３０】
図３は、カメラ１００の起動時処理を示すフローチャートである。
まず、ステップＳ３０１では、システム制御部５０は、使用者による電源ＯＮの操作に応じて動作を開始する。なお、本実施形態のカメラ１００では、モードダイアルスイッチ６０を、写真や動画を撮影する撮影モード、撮影した写真や動画を閲覧する再生モードまたは動画を撮影する動画撮影モード等に設定することで電源ＯＮの操作となる。
ステップＳ３０２では、システム制御部５０は、記録媒体着脱検知部９８を介して記録媒体１２０が装着スロット１２２に装着されているか否かを判定する。記録媒体１２０が装着されている場合、ステップＳ３０３へ進み、記録媒体１２０が装着されていない場合、ステップＳ３１９へ進む。
【００３１】
ステップＳ３１９では、システム制御部５０は、記録媒体１２０が装着されていない旨を画像表示部２８に表示したり、音を発生させたりして使用者に通知し、ステップＳ３１８へ進む。図７（ａ）は、画像表示部２８に記録媒体１２０が装着されていない旨を表示する表示例である。図７（ａ）に示すように、システム制御部５０は、画像表示部２８の画面７０１にメッセージ７０２を表示する。
【００３２】
一方、ステップＳ３０３では、システム制御部５０は、記録媒体１２０を含む各部に電源供給を行う。また、システム制御部５０は、ズーム制御部４４を介して撮影レンズ１０を所定の位置に動作させる等して、ハードウェアの初期化を行い、撮影準備を行い、ステップＳ３０４へ進む。ステップＳ３０４では、システム制御部５０は、記録媒体１２０の後述するＦＡＴファイルシステムのＭＢＲやＢＯＯＴ＿Ｓｅｃｔｏｒを解析し、ステップＳ３０５へ進む。
【００３３】
ここで、記録媒体１２０内は、図２に示すようなＦＡＴファイルシステムによってファイル管理されている。図２に示すように、ＦＡＴファイルシステム２００には、ＭＢＲ２０１、ＢＯＯＴ＿Ｓｅｃｔｏｒ２０２、ＦＡＴ２０３、ＲＯＯＴ＿Ｄｉｒｅｃｔｏｒｙ＿Ｅｎｔｒｙ２０４などのデータ管理情報からなる管理領域２０５が設定されている。また、管理領域２０５の後には、ＤＡＴＡ（データ）２０６が保存されるデータ領域２０７が設定されている。
【００３４】
ＭＢＲ２０１は、記録媒体１２０全体の情報等が格納されている。ＢＯＯＴ＿Ｓｅｃｔｏｒ（ブートセクタ）２０２には、フォーマット形式、ＦＡＴ２０３の位置、ＦＡＴ２０３のサイズ等が格納されている。ＲＯＯＴ＿Ｄｉｒｅｃｔｏｒｙ＿Ｅｎｔｒｙ（ルートディレクトリエントリ）２０４には、ファイル名、作成した日付、属性、データ２０６のサイズ、データ２０６の先頭位置等が格納されている。
ＦＡＴ２０３は、データ２０６の各クラスタ番号に対応するＦＡＴエントリ２０８が設定されている。ＦＡＴエントリ２０８には、次に読み出すべきクラスタ番号が記憶される。ＦＡＴエントリ２０８内が、「ＦＦ」や次のクラスタ番号が記憶されている場合、使用済のクラスタであり、「００」の場合、空きクラスタである。データ２０６は、複数のセクタがまとまったクラスタ単位で管理され、それぞれにクラスタ番号が付されている。
【００３５】
ステップＳ３０５では、システム制御部５０は、ＦＡＴのサイズやクラスタサイズ等、記録媒体１２０のデータ管理情報を取得し、ステップＳ３０６へ進む。この処理は、読出手段による処理の一例に対応する。
ステップＳ３０６では、システム制御部５０は予め使用者が設定した撮影動画サイズや圧縮率の各モードの設定を不揮発性メモリ５６から取得し、ステップＳ３０７へ進む。ステップＳ３０７では、システム制御部５０は、取得したデータ管理情報のうちＦＡＴの空きクラスタ数に基づいて記録媒体１２０の動画記録可能時間を算出し、ステップＳ３０８へ進む。この処理は、媒体記録可能時間算出手段による処理の一例に対応する。この処理により算出される動画記録可能時間は、記録媒体１２０のデータ領域の空き容量に応じた時間となる。
【００３６】
ステップＳ３０８では、システム制御部５０は、装着スロット１２２に装着された記録媒体１２０がライトワンス型であるか否かを判定する。この処理は、記録媒体判定手段による処理の一例に対応する。ライトワンス型であるか否かの判定は、記録媒体１２０内に記載された記録媒体１２０の種別を示すレジスタを参照すること等により行う。ライトワンス型の場合、ステップＳ３０９へ進み、ライトワンス型ではない場合、ステップＳ３１５へ進む。
ステップＳ３０９では、システム制御部５０は、取得した記録媒体１２０のデータ管理情報のうちＦＡＴおよびファイルディレクトリをメモリ３０上に読み出す（展開する）。システム制御部５０は、メモリ３０上に読み出したＦＡＴの空きクラスタ数から動画記録可能時間を算出し、ステップＳ３１０へ進む。この処理は、動画記録可能時間算出手段による処理の一例に対応する。
【００３７】
ステップＳ３１０では、システム制御部５０はステップ３０７で算出した動画記録可能時間と、ステップＳ３０９で算出した動画記録可能時間とが一致しているか否かを判定する。この処理は、時間判定手段による処理の一例に対応する。一致している場合、ステップＳ３１１へ進み、一致していない場合、ステップＳ３１２へ進む。ここで、上述したステップＳ３０９では、メモリ３０が他の処理に使用されている場合等では、メモリ３０上に読み出されるＦＡＴの領域を十分に確保できない場合がある。この場合、メモリ３０に確保されたＦＡＴの空きクラスタ数自体が少なくなってしまうために、ステップＳ３１０で算出される動画記録可能時間が、ステップＳ３０７で算出される動画記録可能時間よりも短くなることがある。
【００３８】
ステップＳ３１１では、システム制御部５０はステップＳ３０９で算出した動画記録可能時間を画像表示部２８に表示し、ステップＳ３１６へ進む。その処理は、動画記録可能時間表示手段による処理の一例に対応する。図７（ｂ）は、画像表示部２８に動画記録可能時間を表示する表示例である。図７（ｂ）に示すように、システム制御部５０は、画像表示部２８の画面７０１に動画記録可能時間７０３を表示する。
ステップＳ３１６では、システム制御部５０はライトワンス型の記録媒体１２０に動画記録処理を行う。
【００３９】
一方、ステップＳ３１２では、システム制御部５０はステップＳ３０７で算出した動画記録可能時間と、ステップＳ３０９で算出した動画記録可能時間との両方を画像表示部２８に表示し、ステップＳ３１６へ進む。ステップＳ３０７で算出した動画記録可能時間を表示する処理は、媒体記録可能時間表示手段による処理の一例に対応する。図７（ｃ）は、画像表示部２８に両方の動画記録可能時間を表示する表示例である。図７（ｃ）に示すように、システム制御部５０は、画像表示部２８の画面７０１にステップＳ３０７で算出した動画記録可能時間７０４、ステップＳ３０９で算出した動画記録可能時間７０５を表示する。システム制御部５０は、実際には、動画記録可能時間７０４の動画データを記録することができない。したがって、ここでは、システム制御部５０は、記録媒体１２０には動画記録可能時間７０４の時間分の空き容量があるが、動画記録可能時間７０５の時間分しか動画データを記録できないことを使用者に通知することとなる。図７（ｃ）では、記録媒体１２０に空き容量があるが、動画記録可能時間７０４までは記録できないことを使用者に認識させるために、動画記録可能時間７０４を動画記録可能時間７０５と異なる態様（例えば、グレーアウトや網かけ等）で表示している。
【００４０】
ステップＳ３１５では、システム制御部５０は、記録媒体１２０の空き容量が存在するか否かを判定する。記録媒体１２０の空き容量が存在する場合、ステップＳ３１３へ進み、存在しない場合、ステップＳ３１４へ進む。
ステップＳ３１３では、システム制御部５０はステップＳ３０７で算出した動画記録可能時間を画像表示部２８に表示し、ステップＳ３１７へ進む。図７（ｂ）は、画像表示部２８に動画記録可能時間を表示する表示例である。図７（ｂ）に示すように、システム制御部５０は、画像表示部２８の画面７０１に動画記録可能時間７０３を表示する。
【００４１】
ステップＳ３１７では、システム制御部５０は、ライトワンス型ではない通常の記録媒体１２０に対応した動画記録処理を行う。
ステップＳ３１４では、システム制御部５０は、記録媒体１２０に空き容量がない旨を画像表示部２８に表示し、ステップＳ３１８へ進む。図７（ｄ）は、画像表示部２８に記録媒体１２０の空き容量がない旨を表示する表示例である。図７（ｄ）に示すように、システム制御部５０は、画像表示部２８の画面７０１にメッセージ７０６を表示する。
ステップＳ３１８では、システム制御部５０は、シャッタースイッチ（ＳＷ１）６２およびシャッタースイッチ（ＳＷ２）６４による動画記録処理を許可せず、起動時処理を終了する。
【００４２】
次に、図３のステップＳ３１６の動画記録処理について、図４のフローチャートを参照して説明する。図４は、ライトワンス型の記録媒体１２０への動画記録処理を示すフローチャートである。
ステップＳ４０１では、システム制御部５０は、使用者によるモードダイアルスイッチ６０を動画撮影モードに設定する操作に応じて、撮影準備を開始し、ステップＳ４０２へ進む。このとき、図３に示すフローチャートの起動時処理により、記録媒体１２０に対する書き込み可能セクタ数および動画記録可能時間は算出済みである。
ステップＳ４０２では、システム制御部５０は、動画撮影モードを終了するか否かを判定する。動画撮影モードを終了する場合、ステップＳ４１３へ進み、動画撮影モードを継続する場合、ステップＳ４０３へ進む。なお、動画撮影モードを終了する場合とは、使用者によってモードダイアルスイッチ６０が再生モード等に設定されたり、電源ＯＦＦの操作が行われたり、システム制御部５０がシステム異常を検知し、電源ＯＦＦした場合等である。
【００４３】
ステップＳ４０３では、システム制御部５０は動画記録処理を開始するか否かを判定する。動画記録処理を開始する場合、ステップＳ４０４へ進み、開始しない場合、ステップＳ４０１へ戻る。動画記録処理の開始は、システム制御部５０が使用者によるシャッタースイッチ（ＳＷ１）６２およびシャッタースイッチ（ＳＷ２）６４の操作を受け付けることにより行う。
ステップＳ４０４では、システム制御部５０は、記録媒体１２０のデータ領域に動画データの書き込みを行い、ステップＳ４０５へ進む。この処理は、動画記録手段による処理の一例に対応する。
【００４４】
ステップＳ４０５では、システム制御部５０は、書き込み済みセクタ数に、記録した動画データのセクタ数を設定し、ステップＳ４０６へ進む。
ステップＳ４０６では、システム制御部５０は、動画データを記録している記録媒体１２０に基づいて、メモリ３０上に読み出したＦＡＴおよびディレクトリエントリなどのデータ管理情報を更新し、ステップＳ４０７へ進む。具体的には、書き込まれている記録媒体１２０のクラスタ番号を、ＦＡＴのＦＡＴエントリに書き込んだり、必要に応じて編集したりすることでデータ管理情報を更新する。
ステップＳ４０７では、システム制御部５０は、動画記録処理を停止するか否かを判定する。動画記録処理を停止する場合、ステップＳ４１７へ進み、停止しない場合、ステップＳ４０８へ進む。動画記録処理の停止は、使用者によるシャッタースイッチ（ＳＷ１）６２およびシャッタースイッチ（ＳＷ２）６４の操作を受け付けることにより行う。
【００４５】
ステップＳ４０８では、システム制御部５０は、記録媒体１２０が動画データを蓄積したことで記録媒体１２０の容量がフルであるか否かを判定する。容量がフルの場合、ステップＳ４１７へ進み、容量がフルでない場合、ステップＳ４０９へ進む。ここで、容量がフルとは、記録媒体１２０のデータ領域に動画データを記録し、空き容量がないことをいう。
ステップＳ４０９では、システム制御部５０は、更新したデータ管理情報が所定サイズ以上か否かを判定する。この処理は、クラスタ判定手段による処理の一例に対応する。所定サイズ以上の場合、ステップＳ４１７へ進み、所定サイズ以上ではない場合、ステップＳ４１０へ進む。ここで、データ管理情報が所定サイズ以上とは、更新したＦＡＴのサイズがメモリ３０上に読み出したＦＡＴのサイズ以上になる場合やＦＡＴエントリにクラスタ番号を追加することでメモリ３０上に読み出したＦＡＴの空きクラスタ数がなくなる場合をいう。
【００４６】
ステップＳ４１０では、システム制御部５０は、書き込み済みセクタ数に、ステップＳ４０６で更新されることで新たに書き込まれたデータ管理情報のセクタ数を加算し、ステップＳ４１１へ進む。
ステップＳ４１１では、システム制御部５０は、現在の書き込み可能セクタ数から、ステップＳ４１１において加算した後の書き込み済みセクタ数を減算し、ステップＳ４１２へ進む。
ステップＳ４１２では、システム制御部５０は、後述する動画記録可能時間算出処理を行い、ステップＳ４０４へ戻る。
【００４７】
一方、ステップＳ４１７では、システム制御部５０は、動画記録処理を停止し、ステップＳ４１８へ進む。ステップＳ４１８では、システム制御部５０は、メモリ３０上のＦＡＴやディレクトリエントリ等のデータ管理情報を記録媒体１２０に書き込み、ステップＳ４１９へ進む。この処理は、書込手段による処理の一例に対応する。
ステップＳ４１９では、システム制御部５０は、後述する動画記録可能時間算出処理を行い、動画記録処理を終了する。
【００４８】
ステップＳ４１３では、システム制御部５０は、ステップＳ４０２の動画撮影モードを終了する場合に、未書き込みのデータ管理情報があるか否かを判定する。未書き込みデータ管理情報がある場合、ステップＳ４１４へ進み、未書き込みデータ管理情報がない場合、動画記録処理を終了する。
ステップＳ４１４、Ｓ４１５、Ｓ４１６は、それぞれ上述したステップＳ４１８、Ｓ４１１、Ｓ４１２と同様であるので説明は省略する。
【００４９】
次に、図３のステップＳ３１７の動画記録処理について、図５のフローチャートを参照して説明する。図５は、通常の複数回書き換え可能な記録媒体への動画記録処理を示すフローチャートである。
ステップＳ５０１では、システム制御部５０は、図４のステップＳ４０１と同様の処理を行い、ステップＳ５０２へ進む。ステップＳ５０２では、システム制御部５０は、記録媒体１２０の空き容量に応じて動画記録可能時間があるか否かを判定する。動画記録可能時間がある場合、ステップＳ５０３へ進み、動画記録可能時間がない場合、ステップＳ５１５へ進む。ステップＳ５０３〜Ｓ５１０の処理は、図４のステップＳ４０２〜Ｓ４０９の処理と同様であるので説明は省略する。
【００５０】
ステップＳ５１１では、システム制御部５０は、記録媒体１２０へデータ管理情報の書き込みを行い、ステップＳ５１２へ進む。ステップＳ５１２〜Ｓ５１４の処理は、図４のステップＳ４１０〜Ｓ４１２の処理と同様であるので説明は省略する。また、ステップＳ５１５〜Ｓ５２１の処理は、図４のステップＳ４１３〜Ｓ４１９の処理と同様であるので説明は省略する。
【００５１】
次に、図４のステップＳ４１２の動画記録可能時間算出処理について、図６のフローチャートおよび図８を参照して説明する。図６は、動画記録可能時間算出処理を示すフローチャートである。図８は、記録媒体１２０のＦＡＴファイルシステムからＦＡＴをメモリ３０に読み出した状態を示す模式図である。
【００５２】
ステップＳ６０１では、システム制御部５０は、メモリ３０上のＦＡＴから空きクラスタ数をカウントして、ステップＳ６０２へ進む。ここで、図８（ａ）は、記録媒体１２０のＦＡＴファイルシステムを示している。また、図８（ｂ）は、記録媒体１２０のＦＡＴファイルシステムのＦＡＴ２０３をメモリ３０上に読み出したＦＡＴ８０１を示している。図８（ｃ）は、メモリ３０上のＦＡＴ８０１の一部（図８（ａ）、図８（ｂ）の斜線部分）の内容を示している。図８（ｃ）は、何も記録していないライトワンス型の記録媒体１２０のＦＡＴ２０３を読み出したＦＡＴ８０１の一部の内容である。図８（ｃ）に示すＦＡＴ８０１において、ＦＡＴエントリ８０２内の「ＦＦ」が使用済クラスタを示し、「００」が空きクラスタを示している。
したがって、ステップＳ６０１では、システム制御部５０は、ＦＡＴ８０１のうち空きクラスタ数をカウントする。
【００５３】
ステップＳ６０２では、システム制御部５０は、撮影動画サイズや圧縮率の各モードの設定を不揮発性メモリ５６から取得し、ステップＳ６０３へ進む。
ステップＳ６０３では、システム制御部５０は、取得したモードに基づいて標準動画サイズを計算し、ステップＳ６０４へ進む。
【００５４】
ステップＳ６０４では、システム制御部５０は、メモリ３０上のＦＡＴの空きクラスタ数から動画記録可能時間を算出する。具体的には、１セクタをＡバイト、１クラスタをＢセクタとし、メモリ３０上のＦＡＴの空きクラスタ数をＸとする。この場合、メモリ３０のＦＡＴには、（Ａ×Ｂ×Ｘ）バイトのデータをキャッシュすることが可能である。更に、動画ビットレートをＹ[バイト／Ｓ]とすると、システム制御部５０は、動画記録可能時間を（Ａ×Ｂ×Ｘ）／Ｙ［Ｓ］によって算出することが可能である。
【００５５】
なお、図８（ｄ）は、上述した図４に示すフローチャートのステップＳ４０６によって、ＦＡＴ８０３の空きクラスタにクラスタ番号が書き込まれた状態を示している。図８（ｄ）では、動画記録処理が停止され、クラスタ番号１０にファイルの終端を示す「ＥＯＦ」の書き込みが行われている。システム制御部５０は、図８（ｄ）に示すＦＡＴ８０３の情報を記録媒体１２０に書き込む。
【００５６】
このように本実施形態のカメラ１００は、ＦＡＴファイルシステムを適用しているライトワンス型の記録媒体１２０に動画データを記録する場合、メモリ３０上に確保したＦＡＴの空きクラスタ数に基づいて動画記録可能時間を表示する。したがって、使用者は正確な動画記録可能時間を把握することができる。
また、本実施形態のカメラ１００は、動画記録処理を停止した後に、メモリ３０上のＦＡＴを記録媒体１２０に書き込むので、動画データを記録しているときの処理の負担を低減させることができる。したがって、カメラ１００は、動画データを記録したり動画記録可能時間を算出したりする処理を高速で行うことができる。
【００５７】
なお、本発明は上述したような実施形態にのみ限られるものではなく、本発明の範囲内で変更等が可能である。例えば、カメラ１００は、メモリ３０上に記録媒体１２０のＦＡＴの少なくとも一部を読み出すように処理してもよい。
また、上述した本実施形態は、動画記録中に静止画を撮影する機能（動画中静止画撮影手段）を備えるカメラにも適用することができる。動画記録中に静止画を撮影するには、使用者がモードダイアルスイッチ６０を操作して動画中静止画モードに設定する。このようなカメラでは、装着されている記録媒体がライトワンス型の記録媒体であるか否かを判定し、通常の記録媒体１２０が装着されている場合、動画中静止画モードを有効にする。一方、ライトワンス型の記録媒体１２０が装着されている場合、動画中静止画モードを無効にする。これにより、メモリ３０に確保されたＦＡＴの空きクラスタが静止画データの記録の為に利用されないようになるので、メモリ３０に確保されたＦＡＴの空きクラスタから算出された動画の記録時間を確保できる。
【符号の説明】
【００５８】
１０：撮影レンズ  １２：シャッター  １４：撮像素子  １６：Ａ／Ｄ変換器  １８：タイミング発生部  ２０：画像処理部  ２２：メモリ制御部  ２４：画像表示メモリ  ２６：Ｄ／Ａ変換器  ２８：画像表示部  ３０：メモリ（記憶部）  ３２：圧縮・伸長部  ４０：露光制御部  ４２：測距制御部  ４４：ズーム制御部  ４６：バリア制御部  ５０：システム制御部  ５２：メモリ  ５４：表示部  ５６：不揮発性メモリ  ６０：モードダイアルスイッチ  ６２：シャッタースイッチ（ＳＷ１）  ６４：シャッタースイッチ（ＳＷ２）  ７０：操作部  ８０：電源制御部  ８２：コネクタ  ８４：コネクタ  ８６：電源部  ９０：カードコントローラ  ９１：インタフェース  ９２：コネクタ  ９８：記録媒体着脱検知部  １００：デジタルカメラ  １０２：保護部  １０４：光学ファインダ  １２０：記録媒体  １２２：装着スロット（装着部）
【図１】
2012146381.tif 000003
【図２】
2012146381.tif 000004
【図３】
2012146381.tif 000005
【図４】
2012146381.tif 000006
【図５】
2012146381.tif 000007
【図６】
2012146381.tif 000008
【図７】
2012146381.tif 000009
【図８】
2012146381.tif 000010